(57)【特許請求の範囲】
【請求項１】
前端部にドリルビットの装着部を突出させたドリル本体と、当該ドリル本体の後端部に設けたハンドルとを備えた電動ドリルに対し、前記装着部を露出させた状態で前記ドリル本体および前記ハンドルを覆う電動ドリルの防音カバーであって、
後端に前記ハンドルを握る手を差し入れるための開放部を有して可撓性の防音材で構成され、
且つ前記ハンドルを覆う部分から前記開放部に至るハンドル覆装部の内面が、前記ハンドルを握った手にほぼ密接するように形成されていることを特徴とする電動ドリルの防音カバー。
【請求項２】
前記ドリル本体には、前部に空冷用排気口が後部に空冷用吸気口が形成されており、
前端から前記空冷用吸気口近傍に至る前記ドリル本体の主要部分を覆うメインカバーと、前記メインカバーの外周面から前記ハンドルに至る部分を覆うサブカバーとから成ることを特徴とする請求項１に記載の電動ドリルの防音カバー。
【請求項３】
前端部にドリルビットの装着部を突出させる共にモータを内蔵するドリル本体と、当該ドリル本体の後端部に設けたハンドルとを備えた電動ドリルに対し、前記装着部を露出させた状態で前記ドリル本体および前記ハンドルを覆う電動ドリルの防音カバーであって、
後端に前記ハンドルを握る手を差し入れるための開放部を有して可撓性の防音材で構成され、
前端から前記モータ内蔵部に至る前記ドリル本体の主要部分を覆うメインカバーと、前記メインカバーの外周面から前記ハンドルに至る部分を覆うサブカバーとから成ることを特徴とする電動ドリルの防音カバー。
【請求項４】
前記ハンドルを覆う部分から前記開放部に至るハンドル覆装部の内面が、前記ハンドルを握った手にほぼ密接するように形成されていることを特徴とする請求項３に記載の電動ドリルの防音カバー。
【請求項５】
前記メインカバーは、外殻をゴムで構成されると共に、遮音材および吸音材を内貼りして構成されていることを特徴とする請求項２、３または４に記載の電動ドリルの防音カバー。
【請求項６】
前記サブカバーは、平面形状に展開可能に構成されると共に前記メインカバーの外周面および前記ハンドルを包み込むように覆っており、
且つ自身の合わせ目を面ファスナーで接合していることを特徴とする請求項２ないし５のいずれかに記載の電動ドリルの防音カバー。
【請求項７】
少なくとも前記ハンドル覆装部には、起毛状の吸音材が内貼りされていることを特徴とする請求項１ないし６のいずれかに記載の電動ドリルの防音カバー。
【発明の詳細な説明】
【０００１】
【発明の属する技術分野】
本発明は、主に常用電源を用いるタイプの電動ドリルの防音カバーに関するものである。
【０００２】
【従来の技術】
従来、この種の電動ドリルの防音カバーとして、例えば特開２０００−１１７５１７号公報に記載のものが知られている。この防音カバーは、ボックス本体と蓋体とを金具で開閉自在に連結したボックス構造のものであり、前端部のドリルビット装着部と後端部のハンドルとを露出させた状態で、ドリル本体を覆っている。ボックス本体は、鉛繊維不織布を樹脂材でサンドイッチした板状遮音材で構成されており、内部には吸音材が内貼りされている。また、ボックス本体には、ドリル本体の空冷用吸気口および空冷用排気口にそれぞれ連なる、２つの屈曲ダクトが一体に組み込まれている。
【０００３】
【発明が解決しようとする課題】
上述した従来の防音カバーでは、ボックス本体に屈曲ダクトが一体に組み込まれているため、構造が複雑になると共に、大型化及び大重量化を招いていた。このため、ビットの先端が見難く作業性が悪化する問題があった。また、ハンドルを握る部分の前側にボックス本体の小蓋が張り出しているため、ハンドルが握り難く操作性が悪化する問題があった。
【０００４】
本発明は、作業性および操作性を損なうことなく、コンパクトに形成することができる電動ドリルの防音カバーを提供することをその目的としている。
【０００５】
【課題を解決するための手段】
本発明の電動ドリルの防音カバーは、前端部にドリルビットの装着部を突出させたドリル本体と、ドリル本体の後端部に設けたハンドルとを備えた電動ドリルに対し、装着部を露出させた状態でドリル本体およびハンドルを覆う電動ドリルの防音カバーであって、後端にハンドルを握る手を差し入れるための開放部を有して可撓性の防音材で構成され、且つハンドルを覆う部分から開放部に至るハンドル覆装部の内面が、ハンドルを握った手にほぼ密接するように形成されていることを特徴とする。
【０００６】
この構成によれば、可撓性の防音材により、装着部を露出させた状態でドリル本体およびハンドルを覆うようにしているため、電動ドリルの外観形状に合わせた比較的コンパクトな形状にすることができる。また、ユーザーは、開放部から手を差し入れてハンドルを握ることができるため、電動ドリルを良好にハンドリングすることができる。さらに、ハンドル覆装部の内面が、ハンドルを握った手にほぼ密接するように形成されているため、この部分からの音の漏れを極力防止することができる。なお、この場合の「ハンドルを覆う」は、ハンドルの形状が製品により区々であるため、少なくともハンドルのグリップ部分を覆い得るものであればよい。
【０００７】
この場合、ドリル本体には、前部に空冷用排気口が後部に空冷用吸気口が形成されており、前端から空冷用吸気口近傍に至るドリル本体の主要部分を覆うメインカバーと、メインカバーの外周面からハンドルに至る部分を覆うサブカバーとから成ることが、好ましい。
【０００８】
ところで、電動ドリルの騒音源（音源）は、モータおよび減速ギヤ部分となり、これらが収容されるハウジング部分および空冷用排気口から大きな音が出る。
この構成によれば、前端から空冷用吸気口近傍に至るドリル本体の主要部分、すなわち電動ドリルの主な音源部分をメインカバーで覆い、且つこの部分（メインカバーの外周面）をサブカバーで２重に覆うようにしているため、騒音を効率良く減衰させることができる。
【０００９】
本発明の他の電動ドリルの防音カバーは、前端部にドリルビットの装着部を突出させると共にモータを内蔵するドリル本体と、ドリル本体の後端部に設けたハンドルとを備えた電動ドリルに対し、装着部を露出させた状態でドリル本体およびハンドルを覆う電動ドリルの防音カバーであって、後端にハンドルを握る手を差し入れるための開放部を有して可撓性の防音材で構成され、前端からモータ内蔵部に至るドリル本体の主要部分を覆うメインカバーと、メインカバーの外周面からハンドルに至る部分を覆うサブカバーとから成ることを特徴とする。
【００１０】
この構成によれば、可撓性の防音材により、装着部を露出させた状態でドリル本体およびハンドルを覆うようにしているため、電動ドリルの外観形状に合わせた比較的コンパクトな形状にすることができる。また、ユーザーは、開放部から手を差し入れてハンドルを握ることができるため、電動ドリルを良好にハンドリングすることができる。さらに、前端からモータ内蔵部に至るドリル本体の主要部分、すなわち電動ドリルの主な音源部分をメインカバーで覆い、且つこの部分（メインカバーの外周面）をサブカバーで２重に覆うようにしているため、騒音を効率良く減衰させることができる。なお、この場合の「ハンドルを覆う」は、ハンドルの形状が製品により区々であるため、少なくともハンドルのグリップ部分を覆い得るものであればよい。
【００１１】
この場合、ハンドルを覆う部分から開放部に至るハンドル覆装部の内面が、ハンドルを握った手にほぼ密接するように形成されていることが、好ましい。
【００１２】
この構成によれば、ハンドル覆装部の内面が、ハンドルを握った手にほぼ密接するように形成されているため、ハンドリングに悪影響を与えることなく、この部分からの音の漏れを極力防止することができる。
【００１３】
これらの場合、メインカバーは、外殻をゴムで構成されると共に、遮音材および吸音材を内貼りして構成されていることが、好ましい。
【００１４】
この構成によれば、騒音を効率良く減衰させることができると共に、電動ドリルへの装着を無理なく行うことができる。また、ゴム製のメインカバーは緩衝材として機能するため、作業の休止時等において、電動ドリルをスラブ上などに置くときに発生する騒音を、有効に防止することができる。
【００１５】
これらの場合、サブカバーは、平面形状に展開可能に構成されると共にメインカバーの外周面および前記ハンドルを包み込むように覆っており、且つ自身の合わせ目を面ファスナーで接合していることが、好ましい。
【００１６】
この構成によれば、サブカバーは、展開した状態からメインカバーの外周面および前記ハンドルを包み込むように装着することができるため、サブカバーの取付け取外しを簡単に行うことができる。しかも、面ファスナーを用いることで、サブカバーの取付け取外しを迅速に行うことができる。
【００１７】
これらの場合、少なくともハンドル覆装部には、起毛状の吸音材が内貼りされていることが、好ましい。
【００１８】
この構成によれば、十分な吸音性能を維持しつつ、ハンドルを握った手に密接し易く、且つその際の肌触りに違和感を生ずることがない。
【００１９】
【発明の実施の形態】
以下、添付の図面を参照して、本発明の一実施形態に係る電動ドリルの防音カバーについて説明する。この防音カバーは、電動ドリルの出力端（回転部分）であるチャック部分を除いて、電動ドリルのハンドルを含む全体を覆うようになっている。図１の断面図を参照して、先ず電動ドリルの構造から簡単に説明する。
【００２０】
同図に示すように、電動ドリル５０は、ドリルビット５１を装着するためのチャック（装着部）５２と、減速ギヤおよびモータを内蔵したドリル本体５３と、ドリル本体５３から後方に連なるハンドル５４とで構成されている。ドリル本体５３は前部から、減速ギヤを内蔵するギヤ内蔵部５３ａと、モータを内蔵するモータ内蔵部５３ｂと、左右一対の冷却用吸気口５５を形成した吸気口形成部５３ｃとを連ねて構成されており、モータ内蔵部５３ｂの前部には、冷却用吸気口５５に対応して左右一対の冷却用排気口５６が形成されている。また、モータ内蔵部５３ｂおよび吸気口形成部５３ｃを構成するハウジングは、ハンドル５４と一体に形成されている。なお、図示しないが、電動ドリル５０の電源スイッチは、ハンドル５４の上端に設けられている。
【００２１】
図１および図２に示すように、防音材で構成した防音カバー１は、ドリル本体５３のギヤ内蔵部５３ａおよびモータ内蔵部５３ｂを覆うメインカバー２と、メインカバー２の外周面２ａ、吸気口形成部５３ｃおよびハンドル５４を覆うサブカバー３とで構成されている。メインカバー２は、ドリル本体５３の周面に対し間隙を存してこれを覆っている。サブカバー３は、メインカバー２の外周面２ａからハンドル５４に至る部分を包み込むように覆っている。
【００２２】
メインカバー２は、ゴムや軟質の樹脂等の可撓性材料で一体に形成されたボックス状のカバー本体５と、同様にゴム等で厚板状に形成され、カバー本体５の後端部を着脱自在に閉蓋する蓋体６とを備えている。カバー本体５の前壁７を除く内周面には、遮音材としての鉛シート８が内貼りされると共に、鉛シール８の表面には吸音材としてのフェルト９が内貼りされている。また、カバー本体５の前部外周面には、後述する前部面ファスナ２１の雌テープ２１ｂが周回するように固定されている。なお、特に図示しないが、上記のフェルト９を押さえるステンレス網等を、更に設けることが好ましい。
【００２３】
カバー本体５の前壁７上部には、円形開口１０が形成され、この円形開口１０に上記ギヤ内蔵部５３ａの先端部が隙間無く嵌合し、その外側にチャック５２が位置するようになっている。また、カバー本体５の下壁１１には、蓋体６の近傍に位置して、上記の冷却用排気口５６に連なる排気開口１２が形成されている。
この排気開口１２は横長の方形に形成され、冷却用排気口５６からの排気エアーが直接排気されることのないように、冷却用排気口５６に対し十分に位置ずれして形成されている。すなわち、冷却用排気口５６からの騒音が直接、排気開口１２に達しないようにしている。そして、カバー本体５の後端部内面は、上記の蓋体が隙間無く嵌合（接合）するように段部１３となっている。
【００２４】
蓋体６は、その外周部でカバー本体５の後端部内面に嵌合すると共に、内周部でモータ本体５３のモータ内蔵部５３ｂの後端部に装着されている。このため、蓋体６の中央部には、モータ内蔵部５３ｂの後端部に隙間無く嵌合するように、これと相補的な断面形状を為す装着開口１４が形成されている。なお、詳細は後述するが、蓋体６は前方から電動ドリル５０に装着されるため、この装着を円滑に行うべく、例えばその外周面から装着開口１４に達する切り線（１箇所）を形成しておくことが好ましい。
【００２５】
メインカバー２は、前方から電動ドリル５０に装着されるようになっている。
すなわち、電動ドリル５０に対し、先ず蓋体６をモータ内蔵部５３ｂの後端部に嵌め入れるように装着し、次にカバー本体５を、その後部を蓋体６に前部をギヤ内蔵部５３ａの前端部にそれぞれ装着するようにする。このように、電動ドリル５０に装着したメインカバー２は、モータ本体５３のギヤ内蔵部５３ａの前端部とモータ内蔵部５３ｂの後端部とで支持されることとなり、この状態でその内周面が、所定の間隙（防音空間）を存してモータ本体５３を覆っている。すなわち、メインカバー２は、排気開口１２の部分を除いて、音漏れが生じないように電動ドリル５０のドリル本体５３を覆っている。
【００２６】
一方、サブカバー３は、可撓性を持たせるべく外側から、外皮としての布地１６、遮音材として鉛シート１７および吸音材として起毛材１８を積層して構成されおり、図２に示す平面形状に展開した状態から、巻き付けるようにして電動ドリル５０に装着される。この場合、サブカバー３の前部（実際には前側の１／３）が、メインカバー２の外周面２ａを覆い、後部がドリル本体５３の排気口形成部５３ｃおよびハンドル５４を覆っている。
【００２７】
図２に示すように、サブカバー３は展開した状態で略方形に形成され、その両短辺部には、雄テープ１９ａ，２０ａおよび雌テープ１９ｂ，２０ｂから成る２組の下部面ファスナ１９，２０が取り付けられている。また、前端部となる一方の長辺部には、上記カバー本体５の雌テープ２１ｂと共に前部面ファスナ２１を構成する雄テープ２１ａが固定されている。この場合、巻き付けるようにして電動ドリル５０に筒状に装着されたサブカバー３は、２組の下部面ファスナ１９，２０により短辺部同士が接合され、前部ファスナ２１によりメインカバー２に取り付けられる。
【００２８】
２組の下部面ファスナ１９，２０の間、すなわち前後雄テープ１９ａ，２０ａ間および前後雌テープ１９ｂ，２０ｂ間は切り欠かれており、一対の切欠き部２２，２２は、電動ドリル５０に装着された状態で方形の開口を構成し、メインカバー２の排気開口１２に合致するようになっている。そして、後端部となる他方の長辺部は、電動ドリル５０に装着されたサブカバー３の開放部２３となり、この部分からハンドル５４を握る手を差し入れるようになっている。
【００２９】
この場合、図１に示すように、サブカバー３のハンドル５４の位置から開放部２３に至るハンドル覆装部２４は、ハンドル５４を握った手首の位置まで達する長さを有しており、且つハンドル５４を握った手にサブカバー３の内面が可能な限り密接するようになっている。すなわち、ユーザが、サブカバー３の開放部２３から手を差し入れてハンドル５４を握ると、サブカバー３に内張りした起毛材１８がユーザの手を包み込むように接触し、開放部（ハンドル覆装部２４）２３の隙間をほぼ閉塞する。なお、電動ドリル５０の冷却用吸気口５５に導入される吸気エアーは、このサブカバー３の開放部２３から起毛材を透過して流入する。
【００３０】
次に、図３に、本実施形態に係る防音カバー１を装着した電動ドリル５０の騒音測定結果を示す。この騒音測定は、床スラブ（コンクリートスラブ）から１０００ｍｍの位置に騒音計の集音マイクを設置し、これから電動ドリル５０を水平方向に１０００ｍｍ離し、手持ちで駆動して行った。また、比較のため、防音カバー１を外した電動ドリル５０についても、これと同一条件下で騒音測定を行った。
【００３１】
同図に示すように、測定結果は、カバー無しの電動ドリル５０の騒音レベルが、８８．６ｄＢ（Ａ）であったのに対し、カバー有りの電動ドリル５０の騒音レベルは７４．７ｄＢ（Ａ）であり、本実施形態に係る防音カバー１の十分な防音性能を確認することができた。また、周波数特性においても、高音域（高周波数帯域）のみならず、減衰し難い低音域（低周波数帯域）においても、顕著な減衰特性が認められた。
【００３２】
以上のように本実施形態によれば、電動ドリル５０の主騒音源となるドリル本体５３を、メインカバー２とサブカバー３とで二重に覆うようにしているため、電動ドリル５０の騒音を効率よく低減することができる。また、ユーザが、サブカバー３の開放部２３から手を差し入れてハンドル５４を握る構造にしているため、電動ドリル５０の操作性が損なわれることがない。しかも、ハンドル５４を握った手にサブカバー３の内面が密接するため、この部分からの音漏れを極力防止することができる。さらに、防音カバー１は、電動ドリル５０の外観形状に倣った単純な形状に形成されているため、比較的軽量で且つコンパクトに形成することができ、ドリルビット５１の先端が見難くなる等の作業性が損なわれることがない。
【００３３】
次に、図４および図５を参照して、本発明の第２実施形態に係る電動ドリル５０の防音カバー１Ａについて説明する。この防音カバー１Ａは、ドリル本体５３のギヤ内蔵部５３ａおよびモータ内蔵部５３ｂを覆う前部カバー３１と、吸気口形成部５３ｃおよびハンドル５４を覆う後部カバー３２とで、二分割に構成されている。後部カバー３２の前端部は、前部カバー３１の後端部に着脱自在に接合する接合部３２ａとなっており、この接合部３２ａには、電動ドリル５０の覆装空間を２分する隔壁３３が一体に形成されている。そして、前部カバー３１は、ドリル本体５３の周面に対し間隙を存してこれを覆っており、また後部カバー３２は、ハンドル５４を中心にこれを包み込むように覆っている。
【００３４】
前部カバー３１は、ゴムや軟質の樹脂等でボックス状に一体に形成されており、その内面には、鉛シート等の遮音材３５およびフェルト等の吸音材３６が、積層されるようにして内貼りされている。また、第１実施形態と同様に、前部カバー３１の前壁上部には、円形開口３７が突出形成されており、この円形開口３７に上記ギヤ内蔵部５３ａの先端部が隙間無く嵌合している。同様に、前部カバー３１の下壁には、隔壁３３の近傍に位置して、上記の冷却用排気口５６に連なる排気開口３８が形成されている。この場合、前部カバー３１は、前方から電動ドリル５０に装着されるようになっている。
【００３５】
後部カバー３２は、前部カバー３１と同様にゴムや軟質の樹脂等で構成され、その主体を為すカバー本体４０と、カバー本体４０の前端部に形成した隔壁３３とで一体に形成されている。隔壁３３の中央部には、上記の蓋体６と同様に、モータ内蔵部５３ｂの後端部と相補的な断面形状を為す装着開口４１が形成されている。そして、この場合も、その内面には、鉛シート等の遮音材３５およびフェルト等の吸音材３６が、内貼りされている。
【００３６】
後部カバー３２は、前部カバー３１に先行して上方から電動ドリル５０に装着されるようになっている。このため、後部カバー３２には、隔壁３３を含む下壁の中央に軸方向に延びる切り線４２が形成されている。すなわち、後部カバー３２は、この切り線の部分で下部を左右に開くようにして変形させ、電動ドリル５０に上側から装着される。なお、後部カバー３２を装着し後、前部カバー３１を前方から装着して、両者を接合することにより、切り線４２の部分は隙間無く密着する。もちろん、切り線４２に沿って粘着テープ等を貼着するようにしてもよい。
【００３７】
このような構成では、電動ドリル５０に装着した防音カバー１Ａは、モータ本体５３のギヤ内蔵部５３ａの前端部とモータ内蔵部５３ｂの後端部とで支持されることとなり、この状態でその内周面が、所定の間隙（遮音空間）を存してモータ本体５３およびハンドル５４を覆っている。特に、前部カバー３１および隔壁３３は、排気開口３８を部分を除いて、音漏れが生じないようにドリル本体５３を覆っている。
【００３８】
一方、後部カバー３２の後端は、開放部４３となっており、この部分からハンドル５４を握る手を差し入れるようになっている。この場合も、第１実施形態と同様に、後部カバー３２のハンドル５４から開放部４３に至るハンドル覆装部４４は、ハンドル５４を握った手首の位置まで達する長さを有しており、且つハンドル５４を握った手に後部カバー３２の内面が可能な限り密接するようになっている。なお、後部カバー５２の上壁および下壁の中央部分を、ハンドル５４の上部および下部に形状に合わせて、スリット状に切り欠き、ハンドル５４の上部および下部を露出させる形態としても良い。このようにすれば、防音カバー１Ａを、よりコンパクトに形成することができる。
【００３９】
以上のように、本実施形態によれば、防音カバー１Ａを電動ドリル５０の外観形状に合わせて、袋状（筒状）にコンパクトに形成することができる。また、第１実施形態と同様に、また、ユーザが、後部カバー３２の開放部４３から手を差し入れてハンドル５４を握る構造にしているため、電動ドリル５０の操作性が損なわれることがなく、且つ開放部４３からの音漏れを極力防止することができる。
【００４０】
なお、遮音材としては上記の鉛シートの他、鉛繊維不織布等の面密度の大きな部材を用いることができる。また。吸音材としては、柔軟性を有する起毛材やフェルトの他、グラスウール（但しクロスで内貼り）や肌触りの良好な多孔質の部材を用いることができる。
【００４１】
【発明の効果】
以上のように本発明の防音カバーによれば、可撓性の防音材により、ハンドルを含んで全体を覆うようにしているため、ハンドリング性を損なうことなく、コンパクトに構成することができる。また、ハンドルを握った手で、開放部を閉塞することができるため、騒音の減衰性能を損なうことがない。
【００４２】
また、本発明の他の防音カバーによれば、可撓性の防音材により、ハンドルを含んで全体を覆うようにしているため、ハンドリング性を損なうことなく、コンパクトに構成することができる。また、メインカバーとサブカバーとでモータ内蔵部を２重に覆うようにしているため、騒音を効率良く減衰させることができる。
【図面の簡単な説明】
【図１】本発明の第１実施形態に係る防音カバーを電動ドリルに装着した状態の断面図である。
【図２】第１実施形態に係る防音カバーの分解斜視図である。
【図３】第１実施形態に係る防音カバーを用いた電動ドリルの騒音測定結果を示す周波数特性線図である。
【図４】本発明の第２実施形態に係る防音カバーを電動ドリルに装着した状態の断面図である。
【図５】第２実施形態に係る防音カバーの分解斜視図である。
【符号の説明】
１  防音カバー                        １Ａ  防音カバー
２  メインカバー                      ２ａ  外周面
３  サブカバー                          ５  カバー本体
６  蓋体                                ８  鉛シート
９  フェルト                          １６  布地
１７  鉛シート                          １８  起毛材
１９  下部面ファスナ                    ２０  下部面ファスナ
２３  開放部                            ２４  ハンドル覆装部
３１  前部カバー                        ３２  後部カバー
３３  隔壁                              ３５  遮音材
３６  吸音材                            ４３  開放部
４４  ハンドル覆装部                    ５０  電動ドリル
５１  ドリルビット                      ５２  チャック
５３  ドリル本体                      ５３ｂ  モータ内蔵部
５４  ハンドル                          ５５  冷却用吸気口
５６  冷却用排気口
【図１】
0004570294.tif 000002
【図２】
0004570294.tif 000003
【図３】
0004570294.tif 000004
【図４】
0004570294.tif 000005
【図５】
0004570294.tif 000006